(57)【要約】【課題】捕集されたミストの再飛散を発生せず、しかも圧力損失が小さく、長寿命である円筒型ミストフィルタを提供するとともに、前記円筒型ミストフィルタを用いることにより、高効率のミスト捕集効果を確保しつつコンパクトに形成したミスト捕集装置を提供することを目的とする。【解決手段】ミストを含んだガス流を円筒型フィルタエレメント内に通過させてガス中のミストを分離する円筒型ミストフィルタにおいて、前記円筒型フィルタエレメントをガス流に対する上流層と下流層の二層構造に構成し、前記下流層を微小ミストを捕集するための微細繊維層に形成し、前記上流層を比較的大きいミストを捕集するための前記下流層よりも太い太繊維層に形成し、前記太繊維層を構成する無機質繊維を面方向に配向積層させた無機質繊維ウェブをジグザグ状に折り畳んだ波形無機質繊維板を用いて形成したことを特徴とする。【選択図】            図１
2005007363.tif 000002
【特許請求の範囲】
【請求項１】
ミストを含んだガス流を円筒型フィルタエレメント内に通過させてガス中のミストを分離する円筒型ミストフィルタにおいて、前記円筒型フィルタエレメントをガス流に対する上流層と下流層の二層構造に構成し、前記下流層を微小ミストを捕集するための微細繊維層に形成し、前記上流層を比較的大きいミストを捕集するための前記下流層よりも太い太繊維層に形成し、前記太繊維層を構成する無機質繊維を面方向に配向積層させた無機質繊維ウェブをジグザグ状に折り畳んだ波形無機質繊維板を用いて形成したことを特徴とする円筒型ミストフィルタ。
【請求項２】
前記下流層を繊維径０．５〜３μｍ、前記上流層を繊維径３〜１０μｍの各繊維で構成したこと特徴とする請求項１記載の円筒型ミストフィルタ。
【請求項３】
円筒型ケーシングの中央部に前記請求項１または２記載の円筒型ミストフィルタからなる円筒型フィルタエレメントを設け、前記円筒型ケーシングの側部上方に前記円筒型ミストフィルタの外周に接する仮想接線上に位置するガス流入口を設け、前記円筒型ケーシングの上部に前記円筒型フィルタエレメントの外方から内方へと通過させたガス流を排出するガス排出口とを設け、ファンの駆動により前記ガス流入口からミストを含んだガス流を流入し、前記ガス流を前記円筒型ミストフィルタの上流層から下流層へと通過させてガス流中のミストを捕集し、前記ガス排出口から排出することを特徴とするミスト捕集装置。
【請求項４】
前記ファンを前記円筒型ケーシングに着脱自在に設けるとともに、前記円筒型フィルタエレメントを前記円筒型ケーシングの上部に支持した吊下治具によって前記円筒型ケーシングに着脱自在に収納したことを特徴とする請求項３記載のミスト捕集装置。
【請求項５】
前記円筒型ケーシングの底部に傾斜を付けたドレン受け底盤を設け、該底盤の最下部にドレン抜きを設けたことを特徴とする請求項３または４記載のミスト捕集装置。
【発明の詳細な説明】
【０００１】
【発明の属する技術分野】
本発明は、例えば、酸ミスト、オイルミスト、可塑剤ミスト、水ミスト等の各種ミストをガス中から分離除去するために用いるミストフィルタおよび前記ミストフィルタを用いたミスト捕集装置に関する。
【０００２】
【従来の技術】
従来、この種のミストフィルタとしては、繊維径１μｍ程度の微細ガラス繊維層と、これより太い径のガラス繊維層との内外二層構造に構成した円筒型フィルタエレメントをパンチングメタル等の通気性ケーシング内に収容保持し、これをミスト捕集装置内に設けられた支持プレートに着脱自在としたものが知られている。
【０００３】
【発明が解決しようとする課題】
しかしながら、前記従来の二層構造の円筒型フィルタエレメントを備えたミストフィルタの場合、ガス流の上流側に繊維径の太いガラス繊維層、下流側に微細ガラス繊維層が配置されているため、下流側の微細ガラス繊維層に上流層で捕集されなかった多くのミストを含むガス流が通過し、下流側で捕集するミストの量が多くなり、通過するガス流の圧力によって微細ガラス繊維層の表面からミスト液が再飛散してしまうという不都合があった。また、逆にガス流の上流側に微細ガラス繊維層、下流側に繊維径の太いガラス繊維層が配置されるようにして使用すると、上流側の微細ガラス繊維層で全てのミストが捕集されてしまい、上流側の微細ガラス繊維層の圧力損失が大きくなるという不都合を有している。さらに、従来のミストフィルタではフィルタ寿命が短い問題があり、フィルタ寿命を延ばすためには、円筒型フィルタエレメントの濾材厚さ、面積を大きくする必要からミストフィルタが大型化し、結果としてミスト捕集装置も大型化する問題がある。
そこで、本発明は前記従来の不都合を解消し、捕集されたミストの再飛散を発生せず、しかも圧力損失が小さく、長寿命である円筒型ミストフィルタを提供するとともに、前記円筒型ミストフィルタを用いることにより、高効率のミスト捕集効果を確保しつつコンパクトに形成したミスト捕集装置を提供することを目的とする。
【０００４】
【課題を解決するための手段】
本発明の円筒型ミストフィルタは、前記目的を達成するべく、請求項１に記載の通り、ミストを含んだガス流を円筒型フィルタエレメント内に通過させてガス中のミストを分離する円筒型ミストフィルタにおいて、前記円筒型フィルタエレメントをガス流に対する上流層と下流層の二層構造に構成し、前記下流層を微小ミストを捕集するための微細繊維層に形成し、前記上流層を比較的大きいミストを捕集するための前記下流層よりも太い太繊維層に形成し、前記太繊維層を構成する無機質繊維を面方向に配向積層させた無機質繊維ウェブをジグザグ状に折り畳んだ波形無機質繊維板を用いて形成したことを特徴とする。
また、請求項２記載の円筒型ミストフィルタは、前記請求項１記載の円筒型ミストフィルタにおいて、前記下流層を繊維径０．５〜３μｍ、前記上流層を繊維径３〜１０μｍの各繊維で構成したこと特徴とする。
また、本発明のミスト捕集装置は、前記目的を達成するべく、請求項３に記載の通り、円筒型ケーシングの中央部に前記請求項１または２記載の円筒型ミストフィルタからなる円筒型フィルタエレメントを設け、前記円筒型ケーシングの側部上方に前記円筒型ミストフィルタの外周に接する仮想接線上に位置するガス流入口を設け、前記円筒型ケーシングの上部に前記円筒型フィルタエレメントの外方から内方へと通過させたガス流を排出するガス排出口とを設け、ファンの駆動により前記ガス流入口からミストを含んだガス流を流入し、前記ガス流を前記円筒型ミストフィルタの上流層から下流層へと通過させてガス流中のミストを捕集し、前記ガス排出口から排出することを特徴とする。
また、請求項４記載のミスト捕集装置は、前記請求項３記載のミスト捕集装置において、前記ファンを前記円筒型ケーシングに着脱自在に設けるとともに、前記円筒型フィルタエレメントを前記円筒型ケーシングの上部に支持した吊下治具によって前記円筒型ケーシングに着脱自在に収納したことを特徴とする。
また、請求項５記載のミスト捕集装置は、前記請求項３または４記載のミスト捕集装置において、前記円筒型ケーシングの底部に傾斜を付けたドレン受け底盤を設け、該底盤の最下部にドレン抜きを設けたことを特徴とする。
【０００５】
【発明の実施の形態】
本発明の円筒型フィルタエレメントは、ガス流に対する上流層と下流層の二層構造に構成し、前記下流層を微細繊維層に形成し、前記上流層を前記微細繊維層の繊維よりも太い繊維で構成した太繊維層に形成している。この太繊維層は、樹脂を付着させた無機質繊維を面方向に配向積層させた無機質繊維ウェブをジグザグ状に折り畳んでガス流通過方向に配向させるようにした無機質繊維を主体とした波形無機質繊維板から形成している。
ガス流中のミストは、前記太繊維層から形成された上流層で比較的大きいミストが捕集され、前記微細繊維層から形成された下流層で微細なミストが捕集される。
本発明の円筒型フィルタエレメントは、上流層となる太繊維層をガス流通過方向に配向した無機質繊維が主体となる波形無機質繊維板から形成しているため、通過するガス流の圧力損失を小さくすることができ、次層となる微細繊維層において、ガス流の圧力によるミスト液の再飛散を防止することができる。
また、太繊維層は、無機質繊維ウェブをジグザグ状に折り畳んだ波形無機質繊維板から形成しているため、コンパクトな形態で濾材面積を拡大することができ、面積を拡大した上流層によってミストの捕集効率を向上して、円筒型ミストフィルタの長寿命化を図ることができる。
【０００６】
前記上流層を形成する太繊維層は、比較的大きなミストを捕集するため繊維径が３〜１０μｍの無機質繊維から形成することが好ましい。
前記上流層を形成する太繊維の繊維径が３μｍ未満であるとミスト捕集効率が高すぎて、圧力損失が高くなり、捕集したミストによるダストの目詰まりが速く、寿命が短くなることに加えて、繊維間隙に毛細管力が働き、液化したミストを落下除去しにくくなるからである。また、前記太繊維の繊維径が１０μｍを超えるとミストを充分に捕集できず、下流層の負荷が大きくなることに加え、空隙率が大き過ぎてコアレッシング効果によってミストを液化することができないからである。
前記上流層は、例えば、ガラスを火炎法、遠心法等により紡糸したガラス繊維等の無機質繊維に、フェノール樹脂等の熱硬化性樹脂あるいはポリエチレン樹脂、ポリプロピレン樹脂等の熱可塑性樹脂を、噴霧、含浸、浸漬等により付着させた後、集綿機を用いて前記無機質繊維を面方向に配向積層した無機質繊維ウェブを得、歯車の噛み合わせ部でジグザグ状に折り畳む歯車式や、折り畳み作動板の折り畳み作動によってジグザグ状に折り畳むラボスキー式等の波付装置を用いて前記無機質繊維ウェブをジグザグ状に折り畳み、前記無機質繊維をガス流通過方向に配向させた波形無機質繊維板から形成する。前記波形無機質繊維板は、嵩密度１０〜９６ｋｇ／ｍ３、平均孔径２〜２０μｍの無機質繊維ウェブを、波高さ２５〜１００ｍｍ、波間隔５〜５０ｍｍ程度の波形板状に形成することが好ましい。
【０００７】
前記下流層を形成する微細繊維層は、ガス中の微小ミストを捕集するために繊維径が０．５〜３μｍの微細繊維から形成することが好ましい。
前記下流層を形成する微細繊維の繊維径が０．５μｍ未満であると圧力損失が高くなりすぎ、このような微細繊維を形成することは製造上困難であり、製造コストが高くなるという問題があるからである。また、前記微細繊維の繊維径が３μｍを超えると微小ミストの捕集効率が十分に得られないという問題があるからである。
前記下流層を構成する微細繊維層は、例えば、ガラスを火炎法、遠心法等により紡糸したガラス繊維等の無機質繊維をバインダとともに集綿した生ウールを円筒型の繊維層として形成している。該繊維層は、嵩密度１０〜１００ｋｇ／ｍ３、平均孔径２０〜１００μｍ、厚さ１０〜２０ｍｍ程度にすることが好ましい。
【０００８】
【実施例】
次に、本発明の円筒型ミストフィルタからなる円筒型フィルタエレメントとミスト捕集装置の実施例を図面に基づき説明する。
図１は、本発明の円筒型ミストフィルタからなる円筒型フィルタエレメントの一実施例を示すもので、円筒型フィルタエレメント１は、ガス流を外方から内方へと通過させるタイプのものである。円筒型フィルタエレメント１は、強度を得るために内部に円筒型のパンチングメタル製の補強用通気性コア４を備え、該補強用通気性コア４の外側に、内周部となる繊維径０．５〜３μｍのガラス繊維からなる微細繊維層である下流層３を設け、該下流層３の外側に、外周部となる繊維径３〜１０μｍのガラス繊維からなる波形無機質繊維板を用いて形成した太繊維層である上流層２を設けた二層構造の円筒型ミストフィルタＦを設けている。
【０００９】
図２は、本発明の一実施例であるミスト捕集装置２０の一部縦断面を示す側面図であり、図３は、図２のＡ−Ａ矢視横断面図である。図２および図３中符号５は、円筒型ケーシングを示し、この円筒型ケーシング５は、側部上方に前記フィルタエレメント１の外周に接する仮想接線Ｌ上に位置するガス流入口６と、上部中央にガス排出口７とを設けている。円筒型ケーシング５の底部には、中央部に向かって傾斜を付けたドレン受け底盤５ａを設け、該底盤５ａの中央最下部には、ドレン抜き１３を設けている。
また、本実施例においては、前記円筒型ケーシング５の上部に、ガス排出口７の下流側となるファン８と、このファン８を駆動するモータ９とを、円筒型ケーシング５に対して着脱自在となるように載置している。ファン８を収納しているケースには、円筒型ケーシング５のガス排出口７から排出されてきたガス流をミスト捕集装置２０外部に流出する吹出口８ａを設けている。
円筒型フィルタエレメント１は、円筒型の補強通気性コア４の中心部を通って円筒型フィルタエレメント１の底部を閉塞するミスト受皿１１を下方から蝶ネジ１２で固定した吊下治具１０によって、円筒型ケーシング５の上部中央から着脱自在に吊下げ支持されている。なお、この吊下治具１０は、円筒型ケーシング５のガス排出口７に設けた通気性のある支持プレート（図示省略）等によって、円筒型ケーシング５に支持されている。
ファン８およびモータ９を円筒型ケーシング５の上部に着脱自在に載置し、円筒型フィルタエレメント１を円筒型ケーシング５の上部中央から吊下治具１０により着脱自在に支持したことによって、ファン８およびモータ９を円筒型ケーシング５から取り外し、さらに、円筒型フィルタエレメント１を取り外すことによって、簡単に円筒型ミストフィルタＦを交換することができる。
【００１０】
ミストを含んだガス流は、円筒型ケーシング５の上部に設置したファン８の駆動により、円筒型フィルタエレメント１の仮想接線上に位置する側部上方のガス流入口６から円筒型ケーシング５内に流入する。円筒型ケーシング５の側部上方に設けたガス流入口６から流入したガス流の一部は、直進して円筒型ケーシング５の壁にぶつかり、ガス流中の大きいミストが円筒型ケーシング５の壁部を伝わって分離されるため、円筒型フィルタエレメント１の主に上流層２の捕集負荷を低減することができる。円筒型ケーシング５内に流入したガス流は、ファン８の駆動によって、円筒型フィルタエレメント１の外方から内方へと吸い込まれ、外周部の上流層２から内周部の下流層３を通過する。
【００１１】
円筒型フィルタエレメント１は、ガス流が流入する流入口６の面積に対して、フィルタ面積が十分大きく、ガス流入口６の下方まで配置されている。この円筒型フィルタエレメント１全体で、ガス流入口６から流入してきたガス流を円筒型フィルタエレメント１の外方から内方へ吸い込もうとするため、ファン８に近い円筒型フィルタエレメント１の上部において、最も多くのガス流が直接円筒型フィルタエレメント１の外方から内方へと吸い込まれ、ガス流の一部は、円筒型フィルタエレメント１の抵抗によって円周方向に沿って旋回流となり、ガス流の一部は、下方に位置する円筒型フィルタエレメント１によって下降流となって外方から内方へと吸い込まれる。円筒型ケーシング５内に流入したガス流の一部が旋回流もしくは下降流となって、円筒型ケーシング５の内壁にぶつかるガス流量が多くなるため、ガス流中の大きいミストが円筒型ケーシング５の壁部を伝わって分離される量が多くなり、円筒型フィルタエレメント１の捕集負荷を低減することができ、円筒型フィルタエレメント１を長寿命化することができる。
【００１２】
そして、ガス流の一部が旋回流もしくは下降流となって、上流層２から下流層３へと通過したガス流は、円筒型フィルタエレメント１の補強用通気性コア４の内部から上昇流となって円筒型ケーシング５の上部に設けたガス排出口７から排出され、さらに、吹出口８ａからミスト捕集装置２０外に排出される。
【００１３】
円筒型フィルタエレメント１の外周部の上流層２で捕集されたガス流中の比較的大きなミストは、繊維を伝わりながら下方へいくほど凝集・合体して大きな液滴に成長するコアレッシング効果により、上方から下方へと重力沈降し、ミスト受皿１１へと落下除去される。一定量のミスト液がミスト受皿１１に溜まると、ミスト液は、ミスト受皿１１から補強通気性コア４、下流層３、上流層２を介して溢流し、円筒型ケーシング５のドレン受け底盤５ａに滴下して中央最下部に集められる。なお、円筒型ケーシング５の壁部にぶつかってガス流中から分離除去されたミストも、円筒型ケーシング５の壁部を伝わって、底盤５ａの中央最下部に集められる。そして、底盤５ａの中央最下部に集められたミスト液は、ドレン抜き１３から円筒型ケーシング５の外部に排出除去される。
【００１４】
次に具体的な実施例を比較例とともに説明する。
（実施例１）
前記実施例の円筒型フィルタエレメント１の構成において、上流層２を、繊維径６μｍ、繊維長５〜３０ｍｍのガラス繊維をバインダを用いて面方向に配向積層した厚さは２５ｍｍのガラス太繊維ウェブをジグザグ状に折り畳んで前記ガラス繊維をガス流通過方向に配向させるようにし、嵩密度５０ｋｇ／ｍ３、平均孔径４３μｍ、波高さは２５ｍｍ、波間隔１０ｍｍの波形ガラス繊維板に形成し、この上流層２を補強用通気性コアの外周部に設け、下流層３を、繊維径１μｍ、繊維長１０〜２０ｍｍの微細ガラス繊維を集綿した嵩密度１０ｋｇ／ｍ３、平均孔径８μｍ、厚さ７ｍｍのフェルト状ガラスウールを１回巻き付けて、厚さ４ｍｍ、嵩密度１８ｋｇ／ｍ３に圧縮形成し、前記上流層２の内周部に前記下流層３を設け、外周部の上流層２と内周部の下流層３の総厚が２９ｍｍの円筒型ミストフィルタＦを設けた円筒型フィルタエレメント１とした。この円筒型フィルタエレメント１を前記実施例のミスト捕集装置２０に取り付けた。
【００１５】
（実施例２）
上流層を、前記実施例１と同様の波形ガラス繊維板に形成し、この上流層を前記実施例と同様の補強用通気性コアの内周部に設け、下流層を、前記実施例１と同様のフェルト状ガラスウールを１回巻き付けて厚さ４ｍｍ、嵩密度１８ｋｇ／ｍ３に圧縮形成し、前記上流層の外周部に前記下流層を設け、内周部の前記上流層と外周部の前記下流層の総厚が２９ｍｍの円筒型ミストフィルタを設けた円筒型フィルタエレメントとした。この円筒型フィルタエレメントを、円筒型ケーシングの上部からガス流を流入し、円筒型ミストフィルタの内方から外方へガス流を通過させて、円筒型ケーシングの側部上方から排出するように構成したこと以外は、前記実施例と同様のミスト捕集装置に取り付けた。
【００１６】
（比較例）
上流層を、繊維径７μｍ、繊維長５〜３０ｍｍのガラス繊維をバインダを用いて、面方向に配向積層し、嵩密度２４ｋｇ／ｍ３、平均孔径１００μｍ、厚さ２５ｍｍの通常の平板形ガラス繊維板に形成し、この上流層を前記実施例と同様の補強用通気性コアの外周部に設け、下流層を、実施例１と同様に形成し、前記上流層の内周部に前記下流層を設け、外周部の前記上流層と内周部の前記下流層の総厚が２９ｍｍの円筒型ミストフィルタを設けた円筒型フィルタエレメントとした。この円筒型フィルタエレメントを前記実施例と同様のミスト捕集装置に取り付けた。
【００１７】
前記実施例１、２および比較例のミスト捕集装置のミスト捕集効率、ミスト再飛散、前記ミスト捕集装置に用いた円筒型ミストフィルタの圧力損失、フィルタ寿命について、以下の方法で試験を行った。
［捕集効率］
ＤＯＰ試験方法で、常温の条件下で重量法試験装置により測定した。
判定基準：捕集効率が９０％以上の場合を○、捕集効率が９０％未満の場合を×とした。
［ミスト再飛散］
ＤＯＰ試験方法で、通常運転の条件下で重量法試験装置により測定した。
判定基準：ミスト再飛散がない場合を○、ミスト再飛散がある場合を×とした。
［圧力損失］
通常運転の条件下で圧力計試験装置により測定した。
判定基準：圧力損失が３００Ｐａ以下の場合を○、圧力損失が３００Ｐａを超えた場合を×とした。
［フィルタ寿命］
フィールド試験方法で、ＤＯＰ濃度１００ｍｇ／ｍ３の条件下で寿命試験装置により測定した。
判定基準：フィルタ寿命が８０００時間以上の場合を○、フィルタ寿命が８０００時間未満の場合を×とした。
［総体評価］
判定基準：捕集効率、ミスト再飛散、圧力損失、フィルタ寿命の評価が全て○の場合を優良◎とし、捕集効率が×であっても、圧力損失、ミスト再飛散、フィルタ寿命の評価が○の場合を良○とし、捕集効率が×であって、圧力損失、ミスト再飛散、フィルタ寿命のいずれかが×の場合を否×とした。前記実施例１、２および比較例のミスト捕集装置における前記試験の結果を表１に示す。
【００１８】
【表１】
2005007363.tif 000003
【００１９】
表１から明らかなとおり、実施例１のミスト捕集装置は、総体評価が優良であり、ミストの再飛散がなく、実施例１のミスト捕集装置に用いた円筒型ミストフィルタの圧力損失が低く、フィルタ寿命も長いことが確認できた。さらに、実施例１のミスト捕集装置は、ミストの捕集効率が目標の９０％を達成しており、実施例１のミスト捕集装置の構成によって、ガス流入口から直進して壁部にぶつかるガス流中のミストおよび下降流もしくは旋回流となって壁部にぶつかるガス流中のミストを円筒型ケーシングの壁部に伝わらせて分離除去できるため、ミストの捕集効率を高めることができることが確認できた。
実施例２のミスト捕集装置は、総体評価が良であり、ミストの再飛散がなく、実施例２のミスト捕集装置に用いた円筒型ミストフィルタの圧力損失が低く、フィルタ寿命が長いことが確認できた。実施例２のミスト捕集装置は、ガス流中のミストを円筒型ケーシングの壁部に伝わらせて分離除去することができないため、ガス中のミスト捕集効率が目標とする９０％を達成できていなかった。
比較例のミスト捕集装置に用いた円筒型ミストフィルタは、総体評価が否であり、ミストの再飛散はないものの、フィルタ寿命が短く、圧力損失が高いという問題があることが確認できた。また、ガス中のミスト捕集効率が目標とする９０％を達成できていなかった。
【００２０】
【発明の効果】
本発明の円筒型ミストフィルタは、上流層が下流層よりも繊維径の太い太繊維からなり、上流層から下流層へと通過するガス流通過方向に配向した繊維を主体とした波形無機質繊維板を用いて形成されているため、上流層の圧力損失を小さくすることができ、次層となる微細繊維層において、ガス流の圧力によるミスト液の再飛散を防止することができる。また、上流層を波形無機質繊維板より形成したため、濾材面積をコンパクトな形態で拡大することができ、面積を拡大した上流層によってミストの捕集効率を向上して、円筒型ミストフィルタの長寿命化を図ることができる。
また、本発明のミスト捕集装置は、円筒型ケーシングの中央部に前記円筒型ミストフィルタからなる円筒型フィルタエレメントを設け、前記円筒型ケーシングの側部上方に前記円筒型フィルタエレメントの外周に接する仮想接線上に位置するガス流入口を設け、前記円筒型ケーシングの上部に前記円筒型フィルタエレメントの外方から内方へとガス流を通過させて排出するガス排出口を設けた構成により、ガス流入口から流入したガス流が直進して円筒型ケーシングの壁にぶつかり、ガス流中の大きいミストが円筒型ケーシングの壁部を伝わって分離されるため、ミストの捕集効率を向上することができるとともに、円筒型フィルタエレメントの捕集負荷を低減することができ、円筒型フィルタエレメントを長寿命化することができる。
【図面の簡単な説明】
【図１】本発明の円筒型フィルタエレメントの一部断面図含む斜視図。
【図２】本発明のミスト捕集装置の一実施例を示す一部縦断面図を含む側面図。
【図３】図２のＡ−Ａ矢視断面図。
【符号の説明】
１    円筒型フィルタエレメント
２    上流層
３    下流層
４    補強用通気性コア
５    円筒型ケーシング
５ａ  ドレン受け底盤
６    ガス流入口
７    ガス排出口
８    ファン
８ａ  吹出口
９    モータ
１０    吊下治具
１１    ミスト受皿
１２    蝶ネジ
１３    ドレン抜き
２０    ミスト捕集装置
Ｆ      円筒型ミストフィルタ
Ｌ      仮想接線
【図１】
2005007363.tif 000004
【図２】
2005007363.tif 000005
【図３】
2005007363.tif 000006